(57)【要約】【課題】  パチンコ機などの遊技機において、表示ユニットの背面に装飾ユニットなどの別のユニットを載置できる構造を確保しつつ、表示ユニット内の表示制御基板上のＲＯＭを外部から視認できるようにする。【解決手段】  表示ユニット２０のユニットケース５２全体を透明とするとともに、表示ユニット２０の背面右側に装飾ユニットなどが重ならない第１空きスペースＳ１を設け、この第１空きスペースＳ１から透視できる位置に、表示制御基板５９のＲＯＭ６７、６８を配置する。また、第２基板ケースの一部に開口を形成し、そこにコネクタを配設して配線接続領域を形成する。【選択図】  図５
2008049175.tif 000002
【特許請求の範囲】
【請求項１】
電気部品を制御するための制御回路が形成され、該制御回路の制御プログラムが格納されたＲＯＭが配設された第１基板を収納する第１基板ケースと、前記第１基板と別の機能を有する第２基板を収納する第２基板ケースと、を備え、
遊技盤の裏面側に前記第１基板ケースを取り付けるとともに、該第1基板ケースの後方側から前記第２基板ケースを重ね合わせた状態で取り付け可能な遊技機であって、
前記第２基板ケースは、
前記第１基板ケースよりも幅寸法が小さく設定されるとともに、当該第２基板ケースを前記第１基板ケースの裏面側に取り付けた状態における第２基板ケースの後面側の一部に開口が形成され、
前記第１基板ケースは、
透明又は半透明な材料で形成され、当該第１基板ケースを遊技盤の裏面側に取り付けた状態における第１基板ケースの後面側に、前記第２基板ケースを取り付けるための取付スペースを設けるとともに、前記第２基板ケースが重ならない第１空きスペースを幅方向の一端側に設けるように構成され、
前記第２基板は、前記第２基板ケースに設けられた開口に対応する位置にコネクタを配設して配線接続領域を形成し、
前記第１基板は、
前記第１基板ケースの幅方向の一端側に設けられた前記第１空きスペースに対応する位置に前記ＲＯＭを配設することで、
前記第１基板ケースに前記第２基板ケースを重ね合わせた状態で、前記第１基板ケースの第１空きスペースから前記第１基板に配設されたＲＯＭが透視できることを特徴とする遊技機。
【請求項２】
前記第１基板ケースは、
当該第１基板ケースを遊技盤の裏面側に取り付けた状態における第１基板ケースの後面側に、前記第２基板ケースが重ならない第２空きスペースを設けるとともに該第２空きスペースに開口を形成し、
前記第１基板は、
前記第１基板ケースに設けられた前記第２空きスペースに対応する位置にコネクタを配設し、
前記第１基板ケースに前記第２基板ケースを重ね合わせた状態で、前記第１基板ケースに設けられる前記第２空きスペースに、前記第１基板に配設されたコネクタを露出させた配線接続領域を形成したことを特徴とする請求項１に記載の遊技機。
【発明の詳細な説明】
【技術分野】
【０００１】
本発明は、複数の基板ケース（ユニットケース）が重ね合わせた状態に配設されるパチンコ機などの遊技機に係わり、詳しくは、特に基板ケース内の重要部品であるＲＯＭの視認性向上を図った遊技機に関する。
【背景技術】
【０００２】
従来、パチンコ遊技機の背面には、遊技機に設けられる電気部品を制御する各種の制御装置が複数設けられている。
電気部品の代表的なものに、ＬＣＤ（液晶表示装置）からなる表示器を持った特図表示装置（可変表示装置の一種）がある。この特図表示装置は、通常、遊技機の中央部において、遊技盤から裏面側に突出した状態で取り付けられている。具体的には、ＬＣＤ及び表示制御基板を不透明な樹脂製ケース（ユニットケース）内に収納した表示ユニットとして構成し、これを遊技盤の裏面側に取り付けている。したがって、この特図表示装置は外部から内部が見えないブラックボックス化された表示ユニットであった。
このような従来の遊技機としては、例えば以下の特許文献１に開示のものがある。
【特許文献１】特開平９−２２５０９２号公報
【０００３】
一方、最近の傾向として、遊技者にインパクトを与えるために、特図表示装置内部のＬＣＤの大きさが４インチ、５インチ、またそれ以上といったように大型化してきている。特図表示装置の表示ユニットは、内部のＬＣＤの大きさに比例して大きくなるため、対応して表示ユニットも大きくなり、遊技盤裏面のかなりの領域にまたがって設置されることになる。
このため、他の電気部品の制御装置の配設場所は、上記特図表示装置の表示ユニット領域を避けようとすれば、表示ユニット周囲の限られた空間しか残されていないことになる。そしてさらに遊技機の裏面は、電気部品を制御装置と接続するための配線が多数存在する。
そこで、このような限られた環境の中で、残された空間を有効利用しようとする考え方から、表示ユニットの背面が広い面積を持つことに着目し、ここに制御装置等を配設することが考えられている。即ち、遊技盤中央部に位置する面積の大きい表示ユニットの背面は格好の配置場所であることから、遊技盤に設けた各電気部品からの配線の中継基板等を固定し、表示ユニット背面はこのような中継基板等の載置スペースとして機能していた。また、他の制御基板の載置スペースとして利用されることもあった。
【発明の開示】
【発明が解決しようとする課題】
【０００４】
ところが、最近、不正行為者による不正行為、例えば制御装置内の制御基板上の正規ＲＯＭを不正なＲＯＭに交換してしまうという不正行為が問題となっている。遊技機メーカーでは正規ＲＯＭが不正なＲＯＭに交換されてしまうのを防止し、また既に不正なＲＯＭが装着されてしまっている場合には遊技店の保守点検時に早期発見できるようにする必要がある。
この点に関し、従来の特図表示装置は、表示器（ＬＣＤ）及び表示制御基板を不透明な樹脂製ケースに収納した表示ユニットとして構成されており、外部から内部が見えないブラックボックスとなっているため、不正なＲＯＭの交換などの不正を直ちに発見することができなかった。また、この表示ユニットの背面に中継基板等をケースに入れて載置した場合には、このケースの存在が表示ユニットの内部を視認するのを妨げる障害となるとともに、新たな不正部材の隠し場所になるという問題があった。
そこで、本発明の目的は、上記課題を解決することであり、上述の表示ユニットのようなユニットのケース（第１基板ケース）の背面に別のユニットのケース（第２基板ケース）を載置できる構造を確保しつつ、特に第１基板ケース内の制御基板（第１基板）上の重要部品（制御プログラム格納用などのＲＯＭ）を外部から視認できるようにした遊技機を提供することを目的とする。
【課題を解決するための手段】
【０００５】
上記目的達成のため、請求項１記載の遊技機は、電気部品を制御するための制御回路が形成され、該制御回路の制御プログラムが格納されたＲＯＭが配設された第１基板を収納する第１基板ケースと、前記第１基板と別の機能を有する第２基板を収納する第２基板ケースと、を備え、
遊技盤の裏面側に前記第１基板ケースを取り付けるとともに、該第1基板ケースの後方側から前記第２基板ケースを重ね合わせた状態で取り付け可能な遊技機であって、
前記第２基板ケースは、
前記第１基板ケースよりも幅寸法が小さく設定されるとともに、当該第２基板ケースを前記第１基板ケースの裏面側に取り付けた状態における第２基板ケースの後面側の一部に開口が形成され、
前記第１基板ケースは、
透明又は半透明な材料で形成され、当該第１基板ケースを遊技盤の裏面側に取り付けた状態における第１基板ケースの後面側に、前記第２基板ケースを取り付けるための取付スペースを設けるとともに、前記第２基板ケースが重ならない第１空きスペースを幅方向の一端側に設けるように構成され、
前記第２基板は、前記第２基板ケースに設けられた開口に対応する位置にコネクタを配設して配線接続領域を形成し、
前記第１基板は、
前記第１基板ケースの幅方向の一端側に設けられた前記第１空きスペースに対応する位置に前記ＲＯＭを配設することで、
前記第１基板ケースに前記第２基板ケースを重ね合わせた状態で、前記第１基板ケースの第１空きスペースから前記第１基板に配設されたＲＯＭが透視できることを特徴とする。
また、好ましい態様として、例えば請求項２記載のように、前記第１基板ケースは、
当該第１基板ケースを遊技盤の裏面側に取り付けた状態における第１基板ケースの後面側に、前記第２基板ケースが重ならない第２空きスペースを設けるとともに該第２空きスペースに開口を形成し、
前記第１基板は、
前記第１基板ケースに設けられた前記第２空きスペースに対応する位置にコネクタを配設し、
前記第１基板ケースに前記第２基板ケースを重ね合わせた状態で、前記第１基板ケースに設けられる前記第２空きスペースに、前記第１基板に配設されたコネクタを露出させた配線接続領域を形成してもよい。
【発明の効果】
【０００６】
請求項１記載の遊技機では、第２基板ケースは、前記第１基板ケースよりも幅寸法が小さく設定されるとともに、当該第２基板ケースを前記第１基板ケースの裏面側に取り付けた状態における第２基板ケースの後面側の一部に開口が形成され、前記第１基板ケースは、透明又は半透明な材料で形成され、当該第１基板ケースを遊技盤の裏面側に取り付けた状態における第１基板ケースの後面側に、前記第２基板ケースを取り付けるための取付スペースを設けるとともに、前記第２基板ケースが重ならない第１空きスペースを幅方向の一端側に設けるように構成され、前記第２基板は、前記第２基板ケースに設けられた開口に対応する位置にコネクタを配設して配線接続領域を形成し、前記第１基板は、前記第１基板ケースの幅方向の一端側に設けられた前記第１空きスペースに対応する位置に前記ＲＯＭを配設することで、前記第１基板ケースに前記第２基板ケースを重ね合わせた状態で、前記第１基板ケースの第１空きスペースから前記第１基板に配設されたＲＯＭが透視できるように構成した。
このため、第１基板ケースの背面に第２基板ケースを配置した構成でありながら、第１基板ケース内の第１基板に搭載されたＲＯＭ（制御回路のＲＯＭ）が、遊技機の裏面側から容易かつ明確に視認できる。したがって、不正行為を確実かつ容易に予防することができるうえに、万が一不正ＲＯＭと交換されてしまった場合でも早期に発見できる。また、簡単な作業（即ち、遊技機裏面からの肉眼観察による点検）で、適正なＲＯＭか否か、不正な改造がされていないかなどが確認できるので、点検作業者の作業負担が軽減される効果がある。
さらに、請求項２に記載した遊技機では、前記第１基板ケースは、当該第１基板ケースを遊技盤の裏面側に取り付けた状態における第１基板ケースの後面側に、前記第２基板ケースが重ならない第２空きスペースを設けるとともに該第２空きスペースに開口を形成し、前記第１基板は、前記第１基板ケースに設けられた前記第２空きスペースに対応する位置にコネクタを配設し、前記第１基板ケースに前記第２基板ケースを重ね合わせた状態で、前記第１基板ケースに設けられる前記第２空きスペースに、前記第１基板に配設されたコネクタを露出させた配線接続領域を形成した。
このため、せっかく透視できるようになっているＲＯＭの背面側を配線で覆うことがなくなり、この点でもＲＯＭ背面側の視界が良好となる。したがって、点検作業者が配線をかき分けてＲＯＭの確認をするという手間が無くなり、作業性を悪化させることがない。
【発明を実施するための最良の形態】
【０００７】
以下、本発明の実施の形態の一例を図面を参照して説明する。
図１〜図６は本発明を適用したパチンコ機の一形態を示している。なお、本形態例のパチンコ機は、その裏面側の構成、特に表示ユニットや装飾ユニットの構成に特徴を有し、その正面構成については特に限定されないものであるため、その正面構成についての図示及び説明を省略する。
【０００８】
Ａ．パチンコ機裏側の全体構成
図１は、本例のパチンコ機の裏側全体の構成を示す図である。図１において、符号１で示すものが遊技機（パチンコ機）であり、この遊技機１には遊技媒体貸出装置としてのカード式玉貸機（以下、単に玉貸機という）２が併設されている。遊技機１にカード式玉貸機２を併設したパチンコ装置は、いわゆるＣＲ機（カードリーディング機）と称される。
遊技機１は、前面側に設けられた額縁状の前面枠（図示省略）と、この前面枠に対して着脱自在に取り付けられ、前面側に遊技領域の形成された遊技盤（図１では図示省略）と、この遊技盤の前面側に配置されるガラスを支持する樹脂製のガラス枠（図示省略）とを有している。ここで、前面枠はパチンコ機１を設置している木製の機枠５に対して開閉可能に支持され、ガラス枠は前面枠に開閉可能に支持されている。また遊技盤は、発射された遊技球を上方から落下させつつアウトあるいはセーフの判定を行う領域であり、入賞口に球が入って有効にセーフとなる場合は所定数の賞品球が排出される。
遊技盤における遊技領域はパチンコ球を用いて遊技を行うものであれば、例えばいわゆる「第１種」に属するもの、あるいは「第２種」，「第３種」に属するもの、あるいは他の機種等であってもよく、任意の構成をとり得る。
【０００９】
遊技機１における裏機構の主要な部品としては、貯留タンク（上タンク）１１、誘導路１２、ターミナル基板（外部端子基板）１３、半端センサユニット１４、排出ユニット１５、遊技制御装置を構成する役物制御ユニット１７、電源供給ユニット１８、発射ユニット１９、表示ユニット２０、装飾ユニット２１、及び音制御ユニット２２などがある。なお、ターミナル基板１３、表示ユニット２０、装飾ユニット２１、及び音制御ユニット２２は、この場合遊技盤の裏側（後述の球寄せカバー３３，３４の裏面）に取り付けられており、この部分の構成については後述する。
【００１０】
貯留タンク１１は、排出される前の球を予め貯留しておくもので、この貯留タンク１１の球数の不足は補給センサ（図示略）によって検出され、不足のときは島設備から球が補給される。貯留タンク１１内の球は誘導路１２により誘導され、排出ユニット１５によって排出される。誘導路１２に賞球排出あるいは球貸し排出のための球が有るかどうかは半端センサユニット１４によって検出される。なお、半端センサユニット１４から排出ユニット１５に至る遊技球の流路１４ａは、通常、図１に示す如く遊技機裏面の中央側に張り出すような屈曲形状となっており、表示ユニット２０が大型化することによって（即ち、特図表示装置が大型化することによって）この表示ユニット２０との干渉が起きやすくなる。しかし本例では、表示ユニット２０の右端の形状が、右端上部が切り欠かれたＬ字状の形状とされることによって、この干渉が回避されている。
【００１１】
ターミナル基板１３は、遊技店のホールコンピュータ（管理装置：図示略）との間における信号の授受などについての中継を行うもので、そのためのリレーやコネクタを搭載している。
発射ユニット１９は、遊技機１の前面下部に設けられた発射操作ノブ（図示省略）の操作に応じて、球を発射するための機構である。
遊技盤の裏面側には、入賞球が流下可能な空間が形成されて入賞球を集合させる入賞球集合部材（この場合、図２に示す球寄せカバー３３，３４）が設けられており、この入賞球集合部材は、例えば透明の樹脂製（ＡＢＳ樹脂等）で、遊技盤の各入賞口に入賞し入賞センサにより検出された後のセーフ球（入賞球）を導く機能を有している。そして、この入賞球集合部材によって導かれたセーフ球は下方の入賞球集合棚（図示省略）によって集められ、次いで、入賞球流下樋（図示省略）を通って遊技機１の下部に排出され、遊技島下部で回収されるようになっている。
【００１２】
また、遊技盤の裏面側にはアウト球流下樋（図示省略）が設けられており、このアウト球流下樋は、遊技領域下部のアウト口（図示省略）に流入した球（アウト球）を流下させて、セーフ球と同様に遊技機１の下部に排出するようになっている。
また、音制御ユニット２２は、遊技機１の前面等に配設されたスピーカ（図示略）より、遊技状態に応じて各種効果音を適宜出力する制御を行うものであり、役物制御ユニット１７の制御基板とケーブル接続されて、遊技状態を示す信号などの授受が行われるようになっている。
なおこの音制御ユニット２２は、後述するように、この場合球寄せカバー３３，３４の背面左端部に装着されるようになっている。
【００１３】
Ｂ．遊技盤裏側の構成
次に図２は、本例のパチンコ機の遊技盤裏側の構成を示す図である。
図２において、符号４１で示すものが遊技盤である。本例の遊技盤４１は、比較的大型なセンター役物が遊技領域の略中央に配置される構成の遊技盤である。ここでセンター役物は、遊技盤４１の盤面上略中央に設けられたセンターケース４２（図３に示す）と、このセンターケース４２の表示窓４２ａに後述の表示部５６ａが配置される表示ユニット２０とよりなる。
遊技盤４１は、木製のベニア部材４３を基板として備え、ベニア部材４３の前面（遊技領域の内外）に対して各種の入賞具や上記センター役物等を搭載した構成になっている。
【００１４】
この遊技盤４１の裏側には、球寄せカバー３３，３４が、ベニア部材４３に対するネジ止めなどにより取り付けられている。この場合、これら球寄せカバー３３，３４は、前述の入賞球案内部材であるとともに、表示ユニット２０や装飾ユニット２１などの取付部材としても機能している。即ち、表示ユニット２０は、球寄せカバー３３の裏面側（遊技機の裏面側であって、以下場合により背面側という）に取り付けられ、さらにこの表示ユニット２０の背面側に、装飾ユニット２１やターミナル基板１３が取り付けられている（詳細後述する）。また、球寄せカバー３３及び３４の裏面側における左端には、音制御ユニット２２が取り付けられる構成となっている。即ち、球寄せカバー３３の裏面側における左端の上部には、音制御ユニット２２のケースの上端部２２ａ（図１に示す）をワンタッチで止着するための止着部材（いわゆるナイラッチなど）の相手方である止着部３３ａが設けられ、また、球寄せカバー３４の裏面側における左端には、音制御ユニット２２のケース下端に形成された突片２２ｂ（図１に示す）が差し込まれるスリット３４ａが形成されている。そして、突片２２ｂをスリット３４ａに差し込んだ状態で、止着部材によって止着部３３ａに対して音制御ユニット２２の上端部２２ａを止着することによって、音制御ユニット２２が図１の如く取り付けられている。
また、各入賞口に対応して、球寄せカバー３３，３４の所定部分には、入賞センサ（図示省略）が取り付けられている。
なお、球寄せカバー３３と前記ベニア部材４３の略中央位置には、遊技盤の前面及び裏面に対して開口する開口部３３ｂ，４３ａがそれぞれ設けられており、これら開口部に対して前記センターケース４２と表示ユニット２０とが取り付けられている（図３，４，６参照）。
【００１５】
Ｃ．表示ユニットなどの構成
次に、表示ユニット２０などの構成について、図３乃至４により説明する。図３乃至４は、表示ユニット２０と装飾ユニット２１の遊技盤４１への取付状態、及び各ユニットの内部構成を示す側断面図であり、このうち図３は装飾ユニット２１を閉じた取付状態（閉じ状態）を示し、図４は装飾ユニット２１を開いた開状態を示す。
図３に示すように、表示ユニット２０は、大きく分けて、特図表示装置を構成する内部ユニット５１（ユニットケース以外の部品の組立て品）と、この内部ユニット５１が固定状態に収納されるユニットケース５２（第１基板ケース）とよりなる。
ユニットケース５２は、裏面側ケース５３と、前面側ケース５４と、表示部パネル５５とよりなる。ここで、裏面側ケース５３及び前面側ケース５４は、前面側又は裏面側が開口した箱形のもので、透明な合成樹脂の一体成形により製作され、いずれの向きからでも内部がはっきり透視可能となっている。
【００１６】
なお、裏面側ケース５３と前面側ケース５４は、相互の開口全体が接合する大きさとなっており、図示省略した係止機構によって相互に取り付けられて、全体として箱型のユニットケース５２を構成しており、前述したように右端がＬ字状の形状となっている（図５，６参照）。
また、表示部パネル５５は、後述する表示器５６の表示部５６ａを覆う大きさの矩形状の板体であり、透明な合成樹脂の板材よりなる。この表示部パネル５５は、前面側ケース５４の表示用開口（図示省略）を塞ぐように取付けられる構成となっている。
【００１７】
次に、内部ユニット５１について説明する。
内部ユニット５１は、図３，４に示すように、表示器５６と、導電性部材５７，５８と、表示制御基板５９（第１基板）とが、ユニットケース５２内の前面側（遊技盤の前面側）から順次後方に向って所定間隔をおいて互に平行に配設され、相互に固定されてなるものである。
表示器５６は、この場合液晶表示器であり、前面側に配置された液晶表示器本体（図示省略）と、この液晶表示器本体の裏面側に配置されるバックライト部（図示省略）とからなり、この表示器５６の前面側に表示部５６ａ（表示画面）が形成されている。
【００１８】
導電性部材５６，５７は、金属又は導電性樹脂等の導電性を有する材料よりなり、ノイズの遮蔽や静電気の放電を行うためのものである。
次に、表示制御基板５９は、表示制御装置を構成する表示制御回路が形成されたもので、一面側が実装面とされ、この場合ほぼ全ての実装部品がこの実装面に搭載されており、図３に示すように、実装面の全体がユニットケース５２の裏面に介在物なく対向するように設けられている。但し、この表示制御基板５９の実装面の一部（左下端部）は、ユニットケース５２の裏面左下に形成された小さな開口５３ａ（図２に示す）から外部に露出しており、この部分が本発明の配線接続領域となっている。すなわち、この表示制御基板５９の配線接続領域の位置には、コネクタ６１，６２が外部に露出した状態で搭載されている（図２参照）。ここで、コネクタ６１は、前述の電源ユニット１８からの電源線６３（図１に示す）が接続されるものであり、コネクタ６２は、前述の役物制御ユニット１７との間の配線６４（図１に示す）を接続するためのコネクタである。また、表示制御基板５９の右端部は、前述したユニットケース５２の形状に合わせてやはりＬ字状の形状となっており、このＬ字状に突出する部分に、表示制御回路の制御プログラムが格納された表示制御用ＲＯＭ６７と、表示部５６ａに表示するキャラクタの画像データが格納されたキャラクタ用ＲＯＭ６８とが並んで配設されている（図２，３，５参照）。
なおこの場合、表示制御用ＲＯＭ６７とキャラクタ用ＲＯＭ６８の表面（上面）には、遊技機又はＲＯＭの識別情報を示す識別情報シール６７ａ，６８ａがそれぞれ粘着剤などによって貼付されている（図５参照）。この場合、識別情報としては、「機種名」「メーカ名」「ＲＯＭ種類」が含まれている。
【００１９】
次に、装飾ユニット２１について説明する。図３に示すように、装飾ユニット２１は、装飾制御基板７１（第２基板）と、この装飾制御基板７１が固定状態に収納されるユニットケース７２（第２基板ケース）とよりなり、全体の幅寸法が表示ユニット２０より小さくなっている。ユニットケース７２は、やはり透明な合成樹脂より製作され、いずれの向きからでも内部がはっきり透視可能となっている。また装飾制御基板７１は、装飾制御装置を構成する装飾制御回路が形成されたもので、一面側が実装面とされ、この場合ほぼ全ての実装部品がこの実装面に搭載されており、図３に示すように、この実装面がユニットケース７２の裏面側に向けられ、遊技機１の裏面側からこの実装面全体が明確に視認できるように設けられている。なお、この場合のユニットケース７２は、下端部が裏面側に開口しており、装飾制御基板７１の実装面の一部（下端部）は、このユニットケース７２の下端開口から外部に露出していて、この部分が装飾制御基板７１の配線接続領域となっている。すなわち、この装飾制御基板７１の下端側には、複数のコネクタが外部に露出した状態で搭載されていて、各コネクタが各配線に接続される。例えば、図２，３において符号７３で示すコネクタは、前述の電源ユニット１８からの電源線７４（図１，３に示す）が接続されるものである（なお、他のコネクタについては、符号を付しての説明を省略する）。なおこの場合、装飾制御回路の制御プログラムが格納された装飾制御用ＲＯＭ７５は、装飾制御基板７１の実装面の比較的上部に搭載されており（図２，３参照）、ユニットケース７２の裏面側を介しての透視により明確に視認できるようになっている。なお、ユニットケース７２は、例えば前面側カバーと裏面側カバーといったように、複数のピースからなっていてもよい。
【００２０】
Ｄ．表示ユニットなどの取付構成
次に、表示ユニット２０などの取付構成について、図５及び図６など（主に図６）により説明する。ここで、図５は図２の部分拡大図であり、図６は表示ユニット２０などの取付構成を説明する斜視図である。
前述の球寄せカバー３３の裏面における開口部３３ｂの周囲には、図６に示すように、帯板状のガイド壁８１が裏面側に突出状態に形成されている。そして、このガイド壁８１の内側の空間に、表示ユニット２０の前面側半分（前面側ケース５４の部分）がはめ込まれた状態（はめ込み状態）で、表示ユニット２０が球寄せカバ−３３に取り付けられる構成となっている。なお、このはめ込み状態では、表示ユニット２０の前述の表示部５６ａが、球寄せカバー３３の開口３３ｂや遊技盤４１の開口４３ａを介して遊技盤４１の前面に臨む適正位置に配置されるようになっている。
また、球寄せカバー３３の裏面におけるガイド壁８１の周囲複数箇所には、先端にネジ穴が形成された突起状の取付部８２が裏面側に突出状態に形成されている。一方、表示ユニット２０のユニットケース５２（裏面側ケース５３又は前面側ケース５４）の上面や下面などの複数箇所に設けられた板状部（例えば板状部８３）には、これら取付部８２のネジ穴に対応する位置に貫通穴８４がそれぞれ設けられている。そして、各貫通穴８４にネジ部材８５を挿通して各取付部８２のネジ穴にねじ込むことによって、表示ユニット２０が前記はめ込み状態で球寄せカバ−３３に固定される構成となっている。
【００２１】
次に、装飾ユニット２１とターミナル基板１３は、取付部材８６を介して表示ユニット２０（裏面側ケース５３）の背面に重ね合わせた状態に取り付けられている。取付部材８６は、やはり透明な樹脂材料等により形成され、全体が透視可能となっている。この取付部材８６は、裏面側が開口した箱形の基板収納部８６ａと、この基板収納部８６ａの側面から伸びる板状のユニット取付部８６ｂとを備え、４カ所の位置に形成された貫通穴８７を利用して表示ユニット２０の背面左側に固定される構成となっている。即ち、上記貫通穴８７は前面側（図６における向こう側）の内径が大径とされた段付き穴であり、表示ユニット２０の背面（裏面側ケース５３の背面）には、上記貫通穴８７に対応する４カ所の位置に、先端にネジ穴が形成された円柱状の突起８８が形成されており、これら突起８８は各貫通穴８７の前面側の大径部にそれぞれはまり込む構成となっている。そして、各突起８８が各貫通穴８７にはまり込んだ状態で、各貫通穴８７に裏面側からネジ部材８９を挿通して各突起８８のネジ穴にねじ込むことにより、取付部材８６が表示ユニット２０の背面左側に固定されている。
【００２２】
そして、まず装飾ユニット２１は、ヒンジピン９１とヒンジ穴９２とよりなるヒンジ機構によって、取付部材８６に揺動自在に取り付けられている。ここで、ヒンジピン９１は、取付部材８６のユニット取付部８６ｂの下端側左右２カ所から伸びる突片９３に設けられた横方向の円柱状突起であり、一方、ヒンジ穴９２は、ユニットケース７２の下端側左右２カ所から伸びる突片９４に設けられた横方向の貫通穴で、このヒンジ穴９２にはヒンジピン９１が回動可能に挿通できる構成となっている。即ち、装飾ユニット２１を図６に示すように移動させて、各ヒンジ穴９２に各ヒンジピン９１をはめ込めば、装飾ユニット２１が取付部材８６（ユニット取付部８６ｂ）の背面側に揺動自在に取り付けられ、これにより、装飾ユニット２１を表示ユニット２０の背面に重ね合わせて閉じた取付状態（図３）と、装飾ユニット２１を表示ユニット２０の背面より開いた開状態（図４）とに切り換え可能となっている。そして、取付部材８６のユニット取付部８６ｂにおける上端略中央位置には、背面側に伸びるスリット付きの可撓片９５が設けられており、また、装飾ユニット２１のユニットケース７２における上端略中央位置には、可撓片９５のスリットに弾力的にはまり込んで係合する係合突起９６が設けられていて、これら可撓片９５と係合突起９６よりなる係止機構によって表示ユニット２０が上記閉じた取付状態（図３）に保持される構成となっている。即ち、上述したように各ヒンジ穴９２に各ヒンジピン９１をはめ込んだ後、表示ユニット２０を揺動させて上記閉じた取付状態（図３）まで押し付ければ、上記可撓片９５に係合突起９６が係合して、自動的に係止状態となり、表示ユニット２０が上記閉じた取付状態に保持される。但し、可撓片９５を例えばマイナスドライバのようなもので押し上げて若干湾曲させることにより、この係止状態は容易に解除することができるので、このような係止状態からでも上述の開状態（図４）に切り換えることができる。
【００２３】
次に、ターミナル基板１３は、取付部材８６の基板収納部８６ａの上側の内面に形成された係止片９７の内側に基板の上縁をはめ込んだ状態で、基板収納部８６ａ内に収納され、さらにこの状態で、ネジ部材９８をターミナル基板１３の左下に形成された貫通穴９９に挿通し、基板収納部８６ａ内の左下に形成された突起１００の先端のネジ穴にネジ込むことによって、基板収納部８６ａ内に収納状態に固定される。つまり、この場合の取付部材８６は、ターミナル基板１３（第２基板）を収納するユニットケース（第２基板ケース）としても機能している。
そして、このように取付部材８６を介して、装飾ユニット２１とターミナル基板１３とが取り付けられた状態においては、表示ユニット２０の背面（図６においてこちら側に見えている背面）の右端には、装飾ユニット２１などが重ならない空きスペースＳ１が設けられている（図２，５）。すなわち、前述のＲＯＭが配置された表示ユニット２０の右端のＬ字状部分の背面は、装飾ユニット２１などが配置されずに開放状態とされている。このため、表示ユニット２０のユニットケース５２（第１基板ケース）の背面に、装飾ユニット２１のユニットケース（第２基板ケース）やターミナル基板１３のユニットケースである取付部材８６（第２基板ケース）を配置した構成でありながら、ユニットケース５２（第１基板ケース）内の表示制御基板５９に搭載されたＲＯＭ（この場合表示制御用ＲＯＭ６７とキャラクタ用ＲＯＭ６８）が、遊技機の裏面側から容易かつ明確に視認できる。
【００２４】
また、表示ユニット２０の背面の左下には、装飾ユニット２１などが重ならない空きスペースＳ２が設けられ（図２参照）、ここには前述のコネクタ６１，６２が露出する開口５３ａ（即ち、表示制御基板５９の配線接続領域）が配置されている。すなわち、装飾ユニット２１のユニットケース７２の幅寸法が表示ユニット２０のユニットケース５２よりも小さく設定されて、表示ユニット２０の背面における幅方向両端側に空きスペースＳ１，Ｓ２が形成され、右側（一端側）の空きスペースＳ１から表示制御基板５９（第１基板）のＲＯＭが透視できる構成となっているとともに、左側（他端側）の空きスペースＳ２には表示制御基板５９（第１基板）の配線接続領域が設けられている。
【００２５】
以上説明した遊技機では、表示ユニット２０のユニットケース５２（第１基板ケース）が透明な材料で形成されているとともに、上述したような空きスペースＳ１が設けられ、この空きスペースＳ１から透視できる位置に、表示制御基板５９（第１基板）のＲＯＭを配置した。このため、前述したように、表示ユニット２０のユニットケース５２（第１基板ケース）の背面に、装飾ユニット２１のユニットケース７２（第２基板ケース）やターミナル基板１３のユニットケースである取付部材８６（第２基板ケース）を配置した構成でありながら、ユニットケース５２（第１基板ケース）内の表示制御基板５９に搭載されたＲＯＭ（この場合表示制御用ＲＯＭ６７とキャラクタ用ＲＯＭ６８）が、遊技機の裏面側から容易かつ明確に視認できる。したがって、不正行為を確実かつ容易に予防することができるうえに、万が一不正ＲＯＭと交換されてしまった場合でも早期に発見できる。また、簡単な作業（即ち、遊技機裏面からの肉眼観察による点検のみ）で、適正なＲＯＭか否か、不正な改造がされていないかなどが確認できるので、点検作業者の作業負担が軽減される効果がある。
【００２６】
特に本例では、表示ユニット２０のユニットケース５２（第１基板ケース）の背面における幅方向両端側に他のケースが重ならない空きスペースＳ１，Ｓ２を形成し、一端側の空きスペースＳ１から表示制御基板５９（第１基板）のＲＯＭが透視できる構成とするとともに、他端側の空きスペースＳ２には表示制御基板５９（第１基板）の配線接続領域を設けた。このため、せっかく透視できるようになっているＲＯＭの背面側を配線で覆うことがなくなり、この点でもＲＯＭ背面側の視界が良好となる。したがって、点検作業者が配線をかき分けてＲＯＭの確認をするという手間が無くなり、作業性を悪化させることがない。
なお本例では、表示ユニット２０の右端の形状を右端上部が切り欠かれたＬ字状の形状とすることによって、裏機構の部品（この場合、半端センサユニット１４から排出ユニット１５に至る遊技球の屈曲状流路１４ａ）との干渉を避けており、そしてこのように干渉を避けつつ、表示ユニット２０内の基板（表示制御基板５９）を一枚基板として構成し、表示ユニット２０全体を面方向（特に幅方向）に大きな形状としている。このため、干渉を避けながらも、前述の空きスペースＳ１，Ｓ２が比較的大きな空間として設けられており、上述の効果（ＲＯＭの視認性の向上等）が、より顕著かつ実用的なものとなっている。また、表示制御基板５９が一枚基板であるため、例えば二枚の基板を積層させた場合に比べて、表示制御基板５９全体の視認性が高いものとなっており、ＲＯＭ以外の実装部品の確認等の作業も容易になっている。
【００２７】
また本例では、装飾ユニット２１のユニットケース７２（第２基板ケース）を表示ユニット２０のユニットケース５２（第１基板ケース）の背面に重ね合わせて閉じた取付状態と、ユニットケース７２（第２基板ケース）をユニットケース５２（第１基板ケース）の背面より開いた開状態とに切り換え可能である。このため、ユニットケース７２（第２基板ケース）を開状態に開くことで、ユニットケース５２（第１基板ケース）の内部がユニットケース７２（第２基板ケース）の取付スペースからも容易に透視可能となり、ユニットケース５２（第１基板ケース）内に不正な異物（例えば、いわゆるぶらさげ基板等）が挿入されていても、容易に発見できる。また、このような不正な異物を確認する点検作業が容易になり、この点でも点検作業者の負担軽減が可能となる。
なお、ここでいう「ぶらさげ基板」とは、不正に大当たり等を得るために、例えば遊技制御装置に不正な信号を入力する小基板であって、不正者が機内の配線等に不正に接続するものをいう。
【００２８】
また本例では、表示制御基板５９（第１基板）のＲＯＭには、遊技機又はＲＯＭの識別情報が空きスペースＳ１から視認可能となるように付されている。即ちこの場合、表示制御用ＲＯＭ６７とキャラクタ用ＲＯＭ６８の表面（上面）には、遊技機又はＲＯＭの識別情報を示す識別情報シール６７ａ，６８ａがそれぞれ粘着剤などによって貼付されている。このため、遊技店等における点検等でＲＯＭを見分けるのに、上記識別情報を確認するだけで済み、上述の点検作業等がさらに容易になる。また、遊技機の製造工程において、表示制御基板５９（第１基板）がその機種に応じた適正なものであるか否かの確認が容易にできるため、作業性が向上し、表示ユニット２０の組み付けミスを信頼性高く防止することができる。なお、表示ユニット２０の背面に装飾ユニット２１を予め装着した状態で、これらユニットを同時に遊技盤裏面に組み付ける際にも、上記識別情報シール６７ａ，６８ａの識別情報が見えるので、このような組み付け方法を採用した場合でも、やはり作業性が向上し、組み付けミスを防止できる。
また本例では、第２基板に相当する装飾制御基板７１には、第１基板である表示制御基板５９とは別の制御回路（即ち、装飾制御回路）が形成されており、この別の制御回路のＲＯＭ７５が、ユニットケース７２（第２基板ケース）の背面から透視可能な位置に配置されている。このため、このＲＯＭ７５についての点検作業も、表示制御基板５９（第１基板）のＲＯＭ６７，６８と同様に、容易に可能となる。
【００２９】
なお、本発明は上記実施の形態の態様に限られず、各種の変形，応用があり得る。
例えば、ユニットケース（第１基板ケース又は第２基板ケース）は、必ずしもガラスのように透明度の高いものである必要はなく、内部が視認できる範囲内において、例えば半透明のものであってもよい。また、全体が透明又は半透明である必要はなく、少なくとも第１基板や第２基板（例えば、表示制御基板や装飾制御基板）のＲＯＭなどが視認できる程度に部分的に透明又は半透明となっていてもよい。また、第１基板ケースのみを透明又は半透明としてもよい。
また、ＲＯＭに識別情報を付す態様は、必ずしもシールを貼付する態様に限られない、例えばＲＯＭのモールド表面に直接印字してもよい。また、上記形態例では、第１基板である表示制御基板のＲＯＭに識別情報を付した例を示したが、第２基板（例えば装飾制御基板）のＲＯＭにも識別情報を付してもよい。
また本発明は、基板が収納されるケースを複数備え、これらが重ね合わせた状態に配置される遊技機であれば、パチンコ機に限らず、アレンジボール機やスロットマシン等にも適用可能であることはいうまでもない。
【図面の簡単な説明】
【００３０】
【図１】遊技機の裏面構成を示す図である。
【図２】遊技盤の裏面構成を示す図である。
【図３】表示ユニットと装飾ユニットの取付状態を説明する側断面図である。
【図４】表示ユニットと装飾ユニットの取付状態を説明する側断面図である。
【図５】図２の部分拡大図である。
【図６】表示ユニットなどの取付構成を説明する斜視図である。
【符号の説明】
【００３１】
１  遊技機
１３  ターミナル基板（第２基板）
２０  表示ユニット
２１  装飾ユニット
４１  遊技盤
５２  ユニットケース（第１基板ケース）
７２  ユニットケース（第２基板ケース）
５９  表示制御基板（第１基板）
６１，６２  コネクタ
６７  表示制御用ＲＯＭ
６８  キャラクタ用ＲＯＭ
７１  装飾制御基板（第２基板）
７５  装飾制御用ＲＯＭ
８６  取付部材（第２基板ケース）
Ｓ１  第１空きスペース
Ｓ２  第２空きスペース
【図１】
2008049175.tif 000003
【図２】
2008049175.tif 000004
【図３】
2008049175.tif 000005
【図４】
2008049175.tif 000006
【図５】
2008049175.tif 000007
【図６】
2008049175.tif 000008